(57)【要約】【課題】  フレームの４隅が各々接合部を形成し、各接合部は６つの正方適合材によって結合されて６方向に延びる、多機能モジューラ・フレーム構造を提供すること。【解決手段】  第１、第２、第３、第４、第５、および第６適合材を含み、前記第１、第２、第３、第４、および第５適合材は、矩形単位寸法を有する５つの異なる形式の中空切込み、ほぞ、および溝を有し、適合材を順次組み立てるときは、中空切込み、ほぞ、および溝を使用してこれらの適合材を、前記第２適合材と前記第５適合材が互いに隣接して水平に延在し、前記第３適合材と前記第４適合材が前記第２適合材と前記第５適合材の中間部分で互いに結合し、垂直に延在し、前記第１適合材が前記第２適合材と前記第５適合材とに水平に連結され、前記第３適合材および前記第４適合材と垂直に連結され、これらの適合材の上に単位貫通開口部を形成して、中空切込み、ほぞ、および溝を持たない前記第６適合材を受け入れるように結合し、前記の第６適合材は同じ層（同じ面）の上に１つの接合部と４つの隅部を形成する。【選択図】  図１
2005240991.tif 000002
【特許請求の範囲】
【請求項１】
多機能モジューラ・フレーム構造であって、
等しい幅と厚さを有する最少１６本の矩形適合材、すなわち第１、第２、第３、第４、第５、および第６適合材を含み、前記第１、第２、第３、第４、および第５適合材は、矩形単位寸法を有する５つの異なる形式の中空切込み、ほぞ、および溝を有し、適合材を順次組み立てるときは、中空切込み、ほぞ、および溝を使用してこれらの適合材を、前記第２適合材と前記第５適合材が互いに隣接して水平に延在し、前記第３適合材と前記第４適合材が前記第２適合材と前記第５適合材の中間部分で互いに結合し、垂直に延在し、前記第１適合材が前記第２適合材と前記第５適合材とに水平に連結され、前記第３適合材および前記第４適合材と垂直に連結され、これらの適合材の上に単位貫通開口部を形成して、中空切込み、ほぞ、および溝を持たない前記第６適合材を受け入れるように結合し、前記の第６適合材は同じ層（同じ面）の上に１つの接合部と４つの隅部を形成し、さまざまな形式の家具に適用可能なフレームを形成する、多機能モジューラ・フレーム構造。
【請求項２】
前記の各適合材において、
接合部分を有する前記第１適合材は、単位高さの垂直ほぞを備え、前記単位高さの垂直ほぞは、各側に半単位高さの垂直溝と半単位高さの垂直溝とを構成し、
接合部分において２つの隣接する側部を有する前記第２適合材は、半単位幅の柱状ほぞによって連結された２つの単位高さの溝を形成し、前記ほぞは前記溝の中に水平に位置し、前記垂直ほぞは前記垂直溝の中に半分だけ挿入されるので、前記溝の開口部は前記第１適合材と同じ平面上にあり、前記溝における半単位幅の柱状ほぞが、前記第１適合材の中空溝の前記上部半単位の上に位置し、
前記第３適合材は、２つの隣接する側部の接合部分に２つの単位高さの溝を形成し、これらの溝は半単位幅のほぞによって連結され、前記溝は第６適合材を通過させることを目的とし、他の前記溝は前記第２適合材の柱状体にスリーブ状に取り付けられるので、半単位幅のほぞは前記第１適合材の前記中空溝の中に挿入され、一方、前記溝上の半単位幅のほぞが第２適合材の上に重なり、
前記第４適合材は、接合部分の凹部に２単位高さの結合溝を含み、他の側に別の２単位高さの結合溝を含み、前記結合溝は前記第６適合材と前記第１適合材とに結合することを目的とし、他の側における半柱は前記第３適合材の前記溝と前記第２適合材の前記溝とによって形成された平面の中に位置し、前記結合ほぞは前記第２適合材の垂直溝と前記第５適合材の溝との中にぴったりはめ込まれ、前記第２適合材の前記垂直溝の中における前記第２適合材の前記半単位幅のほぞと相接し、
前記第５適合材は、前記第２適合材と水平に結合され、接合部分は２単位長の溝と半単位高さのほぞとを含み、単位長の溝が前記半単位高さのほぞの中間部分に位置し、前記第６適合材の柱状体をぴったりはめ込むために使用され、前記半単位高さのほぞは前記第１適合材の前記半単位溝の中にぴったりはめ込まれ、前記溝５１は第３適合材と第４適合材との中にそれぞれぴったりはめ込まれ、上記の５本の適合材が組み立てられた後、すべての接合部分は正方形の開口部を形成し、ほぞも溝もない第６適合材が開口部に挿入され、第１適合材と上下に向かい合って結合される、請求項１に記載の多機能モジューラ・フレーム構造。
【請求項３】
前記の各適合材において、
前記第１適合材の接合部分が、頂部分に２単位高さの垂直溝を含み、下部分では、単位長さのほぞが垂直ほぞの中間部分に位置しており、
前記第２適合材の接合部分における２つの隣接する側部が、半単位幅の柱状ほぞによって連結された２つの単位幅の溝を形成し、前記第１溝は前記第６適合材がその全体にわたることを目的とし、前記第２適合材は前記第１適合材の前記中空溝の１つの側の全体にわたり、前記第１適合材の前記垂直ほぞと結合され、他の前記溝の中のほぞによって半分覆われた前記中空溝の中に位置し、
前記第３適合材における前記溝は、前記第２適合材の柱状体と結合し、こうして半単位幅のほぞが前記第１適合材の前記中空溝の中に半分挿入され、一方では、前記溝の半単位幅のほぞが前記第２適合材と結合し、
前記第４適合材は、溝とほぞの一方の側にほぞと溝とを形成し、前記第３適合材の１つの側に垂直に組み立てられ、前記溝は前記第３適合材の溝と突合せとなり、単位貫通孔を形成し、下の前記溝は前記第１適合材の前記垂直ほぞと結合して第２適合材の上を前記溝に向かって移動し、こうして前記第２適合材の溝の中に半分ぴったりはめ込まれ、
前記第５適合材の接合部分は２単位長さの溝とほぞとを含み、単位長さの溝が前記ほぞの中間部分に位置し、前記ほぞは前記第１適合材の前記垂直ほぞの中の下方にぴったりはめ込まれ、こうして、前記溝は前記第３適合材と前記第４適合材との開口部と同じ平面上にあり、前記溝は、前記第６適合材がその全体にわたるようにすることを目的とし、一方、前記溝は前記第３適合材と前記第４適合材を挟み、前記第２適合材を前記第５適合材に接合させ、上記５本の適合材が組み立てられた後、これらの接合部分は正方開口部を形成し、前記のほぞも溝もない第６適合材が開口部に挿入され、前記第１適合材と上下に向かい合って結合され、こうして１つの接合部を形成する、
請求項１に記載の多機能モジューラ・フレーム構造。
【請求項４】
８本の前記適合材を使用することによって１つの追加層が作られる、請求項１に記載の多機能モジューラ・フレーム構造。
【請求項５】
さまざまな前記ほぞと前記溝との個数が層の個数に依存する、請求項１に記載の多機能モジューラ・フレーム構造。
【請求項６】
前記適合材の延長と前記接合の個数の増加によって多フレーム構造が達成される、請求項１に記載の多機能モジューラ・フレーム構造。
【請求項７】
前記ほぞと前記溝とのさまざまな位置と距離によって、さまざまな層と厚さを有するフレームが達成される、請求項１に記載の多機能モジューラ・フレーム構造。
【請求項８】
同じ前記適合材の前記接合部における前記ほぞと前記溝が同じサイズと形式を有する、請求項１に記載の多機能モジューラ・フレーム構造。
【発明の詳細な説明】
【技術分野】
【０００１】
本発明は、多機能モジューラ・フレーム構造に関し、具体的には、釘またはねじを使用することなく互いにかみ合い結合するほぞと溝とを有する最少１６本の矩形適合材を含み、６方向に延びることができる接合部を形成し、４隅の各々に接合部を形成し、フレームはさまざまな家具の用途に適用可能であるフレーム構造に関する。
【背景技術】
【０００２】
これまで、衣裳だんす、陳列棚、茶卓、テーブル、および椅子といった家具物品が毎日の生活には不可欠な物品であることは周知である。組立ておよび包装費用を低減するために、家具メーカーは、やはり顧客のために購買費を低下することのできるＤＩＹ（ｄｏ  ｉｔ  ｙｏｕｒｓｅｌｆ）（自らの手でやろう）顧客のためにモジューラ家具を市場に出した。しかしながら、現在入手可能な家具のほとんどは、家具の接合部分に釘およびねじなどの留め具を適用している。この種の組立方策は、留め具を外部から見えるようにし、したがって完成品の価値を下げ、また美的にも魅力を減ずるものである。他方では、接合部分に統合されたほぞと溝を使用する家具メーカーもある。しかし、精度と安定性を確証するために、接着剤を使用しなければならない。接着剤は確実な接合部を作り、安定性を確証するが、接着剤の欠点は、家具が組み立てられてしまうと、外見を損なわずに取外しまたは分解することができないことである。
【発明の開示】
【発明が解決しようとする課題】
【０００３】
したがって本発明の主な目的は、フレームの４隅が各々接合部を形成し、各接合部は６つの正方適合材によって結合されて６方向に延びる、多機能モジューラ・フレーム構造を提供することである。６本の適合材の接合部は、溝、安定的な接合部のために結合する各適合材の凹部および突出部によって接合され、このような計画はモジューラ家具の用途に適用される。
【課題を解決するための手段】
【０００４】
上述の目的を達成するために、本発明による多機能モジューラ・フレーム構造は、等しい幅と厚さを有する最少１６本の矩形適合材を含む。すなわち、第１、第２、第３、第４、第５、および第６適合材であって、第１、第２、第３、第４、および第５適合材は、矩形単位寸法を有する５つの異なる形式の中空切込み、ほぞ、および溝を有し、適合材を順次組み立てるときは、中空切込み、ほぞ、および溝を使用してこれらの適合材を、第２適合材と第５適合材が互いに隣接して水平に延在し、第３適合材と第４適合材が第２適合材と第５適合材の中間部分で互いに結合し、垂直に延在し、第１適合材が第２適合材と第５適合材とに水平に連結され、第３適合材および第４適合材と垂直に連結され、これらの適合材の上に単位貫通開口部を形成して、中空切込み、ほぞ、および溝を持たない第６適合材を受け入れるように結合する。したがって、これは同じ層（同じ面）の上に１つの接合部と４つの隅部を形成し、さまざまな形式の家具に適用可能なフレームを形成する。
又、前記の各適合材において、
接合部分を有する前記第１適合材は、単位高さの垂直ほぞを備え、前記単位高さの垂直ほぞは、各側に半単位高さの垂直溝と半単位高さの垂直溝とを構成し、
接合部分において２つの隣接する側部を有する前記第２適合材は、半単位幅の柱状ほぞによって連結された２つの単位高さの溝を形成し、前記ほぞは前記溝の中に水平に位置し、前記垂直ほぞは前記垂直溝の中に半分だけ挿入されるので、前記溝の開口部は前記第１適合材と同じ平面上にあり、前記溝における半単位幅の柱状ほぞが、前記第１適合材の中空溝の前記上部半単位の上に位置し、
前記第３適合材は、２つの隣接する側部の接合部分に２つの単位高さの溝を形成し、これらの溝は半単位幅のほぞによって連結され、前記溝は第６適合材を通過させることを目的とし、他の前記溝は前記第２適合材の柱状体にスリーブ状に取り付けられるので、半単位幅のほぞは前記第１適合材の前記中空溝の中に挿入され、一方、前記溝上の半単位幅のほぞが第２適合材の上に重なり、
前記第４適合材は、接合部分の凹部に２単位高さの結合溝を含み、他の側に別の２単位高さの結合溝を含み、前記結合溝は前記第６適合材と前記第１適合材とに結合することを目的とし、他の側における半柱は前記第３適合材の前記溝と前記第２適合材の前記溝とによって形成された平面の中に位置し、前記結合ほぞは前記第２適合材の垂直溝と前記第５適合材の溝との中にぴったりはめ込まれ、前記第２適合材の前記垂直溝の中における前記第２適合材の前記半単位幅のほぞと相接し、
前記第５適合材は、前記第２適合材と水平に結合され、接合部分は２単位長の溝と半単位高さのほぞとを含み、単位長の溝が前記半単位高さのほぞの中間部分に位置し、前記第６適合材の柱状体をぴったりはめ込むために使用され、前記半単位高さのほぞは前記第１適合材の前記半単位溝の中にぴったりはめ込まれ、前記溝５１は第３適合材と第４適合材との中にそれぞれぴったりはめ込まれ、上記の５本の適合材が組み立てられた後、すべての接合部分は正方形の開口部を形成し、ほぞも溝もない第６適合材が開口部に挿入され、第１適合材と上下に向かい合って結合されることが好適である。
又、前記の各適合材において、
前記第１適合材の接合部分が、頂部分に２単位高さの垂直溝を含み、下部分では、単位長さのほぞが垂直ほぞの中間部分に位置しており、
前記第２適合材の接合部分における２つの隣接する側部が、半単位幅の柱状ほぞによって連結された２つの単位幅の溝を形成し、前記第１溝は前記第６適合材がその全体にわたることを目的とし、前記第２適合材は前記第１適合材の前記中空溝の１つの側の全体にわたり、前記第１適合材の前記垂直ほぞと結合され、他の前記溝の中のほぞによって半分覆われた前記中空溝の中に位置し、
前記第３適合材における前記溝は、前記第２適合材の柱状体と結合し、こうして半単位幅のほぞが前記第１適合材の前記中空溝の中に半分挿入され、一方では、前記溝の半単位幅のほぞが前記第２適合材と結合し、
前記第４適合材は、溝とほぞの一方の側にほぞと溝とを形成し、前記第３適合材の１つの側に垂直に組み立てられ、前記溝は前記第３適合材の溝と突合せとなり、単位貫通孔を形成し、下の前記溝は前記第１適合材の前記垂直ほぞと結合して第２適合材の上を前記溝に向かって移動し、こうして前記第２適合材の溝の中に半分ぴったりはめ込まれ、
前記第５適合材の接合部分は２単位長さの溝とほぞとを含み、単位長さの溝が前記ほぞの中間部分に位置し、前記ほぞは前記第１適合材の前記垂直ほぞの中の下方にぴったりはめ込まれ、こうして、前記溝は前記第３適合材と前記第４適合材との開口部と同じ平面上にあり、前記溝は、前記第６適合材がその全体にわたるようにすることを目的とし、一方、前記溝は前記第３適合材と前記第４適合材を挟み、前記第２適合材を前記第５適合材に接合させ、上記５本の適合材が組み立てられた後、これらの接合部分は正方開口部を形成し、前記のほぞも溝もない第６適合材が開口部に挿入され、前記第１適合材と上下に向かい合って結合され、こうして１つの接合部を形成することが好適である。
又、８本の前記適合材を使用することによって１つの追加層が作られることが好適である。
又、さまざまな前記ほぞと前記溝との個数が層の個数に依存することが好適である。
又、前記適合材の延長と前記接合の個数の増加によって多フレーム構造が達成されることが好適である。
又、前記ほぞと前記溝とのさまざまな位置と距離によって、さまざまな層と厚さを有するフレームが達成されることが好適である。
さらに、同じ前記適合材の前記接合部における前記ほぞと前記溝が同じサイズと形式を有することが好適である。
【発明を実施するための最良の形態】
【０００５】
本発明の上に述べた目的の完成は、本発明の一実施形態の下記説明とこの実施形態を図解する添付の図面から明らかになろう。
【０００６】
図１および図３から７までに示すように、本発明は基本的に、第１適合材１、第２適合材２、第３適合材３、第４適合材４、第５適合材５、および第６適合材６を含み、これらの適合材は互いに調和し重なり合っている。さらに、これらの適合材は正方形状を呈し、各辺で等しい厚さと幅とを有する。各適合材についてほぞと溝との比と形状を明確に識別するために、適合材の固定された厚さと幅を「単位」と呼ぶ。したがって、「半単位」とはこのような厚さと幅の半分を意味する。
【０００７】
図１および７を参照すると、第１適合材１の接合部分は、単位高さの垂直ほぞ１１を備え、この垂直ほぞ１１は、各側に第２適合材２と第５適合材５とに結合するために使用される半単位高さの垂直溝１２と半単位高さの垂直溝１３とを構成し、垂直ほぞ１１の２つの隣接する側部は、第３適合材３と結合するために使用される単位高さの中空溝１４を形成する。
【０００８】
第２適合材２の接合部分における２つの隣接する側部は、半単位幅の柱状ほぞ２３によって連結される２つの単位高さの溝２１、２２を形成し、ほぞ２３は溝２２の中に水平に位置し、垂直ほぞ１１は垂直溝２１の中に半分だけ挿入されるので、溝２２の開口部は第１適合材１と同じ平面上にあり、溝２２における半単位幅の柱状ほぞ２４は中空溝１４の上部半単位の上に位置する。この結果、溝２２は第６適合材６を全体にわたらせる目的があり、溝２１は第４適合材４を挟む。
【０００９】
第３適合材３は、異なる（垂直）組立方向であることを除いては第２適合材２と似ており、第３適合材３の接合部分における２つの隣接する側部は２つの単位高さの溝３１、３２を有し、これらの溝は半単位幅のほぞ３３によって連結され、溝３１は第６適合材６を通過させることを目的とし、溝３２は第２適合材２の柱状体にスリーブ状に取り付けられるので、半単位幅のほぞ３４は中空溝１４の中に挿入され、一方、溝３１上の半単位幅のほぞ３５は第２適合材２の上に重なる。
【００１０】
第４適合材４は、第３適合材３の一方の側に垂直に取り付けられ、接合部分の凹部に２単位高さの結合溝４１を含み、他の側に別の２単位高さの結合溝４２を含み、結合溝４１は第６適合材６と第１適合材１とに結合することを目的とし、他の側における半柱は溝３１と溝２２とによって形成された平面の中に位置し、結合ほぞ４２は垂直溝２１と第５適合材５上の溝５１との中にぴったりはめ込まれ、垂直溝２１中の半単位幅のほぞ２５に相接する。
【００１１】
第５適合材５は第２適合材２と水平に結合され、接合部分は２単位長の溝５１と半単位高さのほぞ５２とを含み、単位長の溝５３は半単位高さのほぞ５２の中間部分に位置し、第６適合材６の柱状体をぴったりはめ込むために使用され、半単位高さのほぞ５２は半単位溝１３にぴったりはめ込まれ、溝５１は第３適合材３と第４適合材４とにそれぞれぴったりはめ込まれる。
【００１２】
上記の５本の適合材が組み立てられた後、これらの接合部分は正方形の開口部を形成し、ほぞも溝もない第６適合材６が開口部に挿入され、第１適合材１と上下に向かい合って結合され、こうして図３に示すように１つの接合部を形成する。
【００１３】
（図４に示すように）上記の６本の適合材に加えて、本発明はさらに第１適合材１、第２適合材２、３本の第３適合材３、３本の第４適合材４、第５適合材５、および第６適合材６、すなわち全部で１６本の適合材を有して、（図４に示すように）単一フレーム構造を形成し、本発明をモジューラ茶卓などの用途に適するようにすることもできる。
【００１４】
図５に示すように、二層フレーム構造を、この適合材を延長して接合部の数を増すことによって単一フレーム構造上に形成することができる。８本の適合材、すなわち２本の第１適合材１と、２本の第６適合材６と、２本の第２適合材２と、２本の第５適合材５とを使用することによって、追加の層を作ることができる。図６は、本発明の適合材を延長したことによる多層フレーム構造を示す。図４、５、および６に示すフレーム構造は、衣裳だんす、茶卓、テーブル、および椅子などのモジューラ家具に使用することができ、この構造は組立工程において留め具または接着剤の使用を必要とせず、分解および再組立が容易である。このフレーム構造を分解するためには、第６適合材６を押し出すだけでよく、その他の適合材を組み立てるときと反対の順序で分解する。
【００１５】
図４に示す単層フレーム構造は最少１６本の適合材を必要とする。図５に示す二層フレーム構造は２４本適合材、すなわち各外形構成の４本の適合材を必要とする。このような適合材は、同じ幅と長さを有する矩形形状を呈し、その外形構成を、実際の製品の寸法と仕様に応じて変えることができる。
【００１６】
図９から１４までは、図５に示す二層フレーム構造のさまざまな外形構成を組み立てるための工程を示し、これについては先に詳細に説明したので省略する。
【００１７】
図２および８は、本発明によるフレーム構造の別の実施形態を示し、第２適合材２、第３適合材３、第５適合材５、および第６適合材６は、先の実施形態において開示され、したがってその実施形態に含まれているものと同じである。
【００１８】
ここで、第１適合材１’の接合部分は頂部分に２単位高さの垂直溝１１’を含み、下部分では、単位長さのほぞ１３’が垂直ほぞ１２’の中間部分に位置している。
【００１９】
第２適合材２の接合部分における２つの隣接する側部は、半単位幅の柱状ほぞ２３によって連結された単位幅の溝２１、２２を形成する。溝２２は第６適合材６がその全体にわたることを目的とし、第２適合材２は中空溝１１’の１つの側の全体にわたり、垂直ほぞ１２’と結合され、溝２２の中でほぞ２４によって半分覆われた中空溝１１’の中に位置する。
【００２０】
第３適合材３における溝３２は、第２適合材２の柱状体と結合し、こうして半単位幅のほぞ３４は中空溝１３’の中に半分挿入され、一方では、溝３１の半単位幅のほぞ３５は第２適合材２と結合する。
【００２１】
第４適合材４’は、溝４１’とほぞ４２’の一方の側にほぞ４３’と溝４４’とを形成し、第３適合材３の１つの側に垂直に組み立てられ、溝４１’は溝３１と突合せとなり、単位貫通孔を形成し、下の溝４４’は垂直ほぞ１２’と結合して第２適合材２上を溝２１に向かって移動し、こうして溝２１の中に半分ぴったりはめ込まれる。
【００２２】
第５適合材５の接合部分は２単位長さの溝５１とほぞ５２とを含み、単位長さの溝５３がほぞ５２の中間部分に位置し、ほぞ５２は垂直ほぞ１２’の中の下方にぴったりはめ込まれ、こうして、溝５３は第３適合材３’と第４適合材４’との開口部と同じ平面上にあり、溝５３は、第６適合材６がその全体にわたるようにすることを目的とし、一方、溝５１は第３適合材３’と第４適合材４’を挟み、第２適合材２を第５適合材５に接合させる。
【００２３】
上記の第５適合材５が組み立てられた後、これらの接合部分は正方開口部を形成し、ほぞも溝もない第６適合材６が開口部に挿入され、第１適合材１’と上下に向かい合って結合され、こうして図３に示すように１つの接合部を形成する。
【００２４】
図１５から２０までは、図８に示す適合材を組み立てて図５に示すフレーム構造にするための工程を示す。この実施形態における最初の４工程は、より高いフレキシビリティを特徴付けている。
【００２５】
本発明の好ましい実施形態に基づいて、各接合部は６本の矩形適合材を含み、６本の適合材上のほぞと溝とによって形成され、したがって、これらの適合材はフレキシブルな高さと幅と深さとを有する堅固で安定したフレーム構造を形成する。さらに本発明は知性と実用性とを特色とし、接合部を左方、右方、上方、および下方に延長することによって多層の堅固なフレーム構造を形成することができる。さらにまた、層間の高さまたは幅を実際の必要性に基づいて調節することができ、こうして高度にフレキシブルで先例のないフレーム構造を作り出す。
【００２６】
本発明の好ましい実施形態を詳細に説明したが、本発明の精神と範囲から逸脱することなく多くの省略、変更、および追加ができることは容易に理解および認識されよう。
【図面の簡単な説明】
【００２７】
【図１】本発明のさらなる実施形態の断面図である。
【図２】本発明のさらなる実施形態の別の断面図である。
【図３】本発明のさらなる実施形態の斜視図である。
【図４】本発明の斜視図である。
【図５】本発明の別の斜視図である。
【図６】本発明の一適用例を示す図である。
【図７】本発明のさらに別の実施形態の斜視図である。
【図８】本発明のさらなる実施形態の別の斜視図である。
【図９】本発明のさらなる実施形態の組立図である。
【図１０】本発明のさらなる実施形態の第２組立図である。
【図１１】本発明のさらなる実施形態の第３組立図である。
【図１２】本発明のさらなる実施形態の第５組立図である。
【図１３】本発明のさらなる実施形態の第６組立図である。
【図１４】本発明のさらに別の実施形態の斜視図である。
【図１５】本発明のさらに別の実施形態の組立図である。
【図１６】本発明のさらに別の実施形態の第２組立図である。
【図１７】本発明のさらに別の実施形態の第３組立図である。
【図１８】本発明のさらに別の実施形態の第５組立図である。
【図１９】本発明のさらに別の実施形態の第６組立図である。
【図２０】本発明の別の適用例を示す斜視図である。
【符号の説明】
【００２８】
１、１’  第１適合材
２  第２適合材
３、３’  第３適合材
４、４’  第４適合材
５  第５適合材
６  第６適合材
１１、１２’  垂直ほぞ
１１’  垂直溝、中空溝
１２、１３  垂直溝
１３’、２３、２５、３３、３４、３５、４２’、５２  ほぞ
１４  中空溝
２１、２２、３１、３２、４１’、５１、５３  溝
２４  柱状ほぞ
４１  結合溝
４２  結合ほぞ
【図１】
2005240991.tif 000003
【図２】
2005240991.tif 000004
【図３】
2005240991.tif 000005
【図４】
2005240991.tif 000006
【図５】
2005240991.tif 000007
【図６】
2005240991.tif 000008
【図７】
2005240991.tif 000009
【図８】
2005240991.tif 000010
【図９】
2005240991.tif 000011
【図１０】
2005240991.tif 000012
【図１１】
2005240991.tif 000013
【図１２】
2005240991.tif 000014
【図１３】
2005240991.tif 000015
【図１４】
2005240991.tif 000016
【図１５】
2005240991.tif 000017
【図１６】
2005240991.tif 000018
【図１７】
2005240991.tif 000019
【図１８】
2005240991.tif 000020
【図１９】
2005240991.tif 000021
【図２０】
2005240991.tif 000022